(57)【要約】【課題】高速駆動及び均等な駆動信号電圧の供給が可能なプラズマディスプレイパネルを提供すること。【解決手段】少なくとも３つ以上の領域に区分され、各領域に位置するアドレス電極がグループに区分されて、各電極グループは、別のデータ駆動部により駆動信号を供給されるようになるので、アドレス期間の間、高速駆動が可能になり、電極での電圧降下を補償でき、相対的に放電期間を延長できるため、表示品質を向上させることができる。【選択図】図３
2006195465.tif 000002
【特許請求の範囲】
【請求項１】
前面基板に形成された少なくとも１つ以上のスキャン電極及びサステイン電極と、
前記前面基板に対向する背面基板に、前記スキャン電極及びサステイン電極と交差する方向に形成された少なくとも１つ以上のアドレス電極と、
前記前面基板と背面基板との間に形成されて、放電空間を区画する隔壁と
を含み、
前記アドレス電極は、少なくとも３つ以上の電極グループに分割されて駆動されることを特徴とするプラズマディスプレイパネル。
【請求項２】
前記アドレス電極は、パネルの表示領域の上部と下部との間が、３個領域に区分され、各領域に属するアドレス電極が、第１乃至第３電極グループに区分されることを特徴とする請求項１に記載のプラズマディスプレイパネル。
【請求項３】
前記第１乃至第３電極グループのそれぞれに駆動信号を印加する第１乃至第３データ駆動部をさらに含むことを特徴とする請求項２に記載のプラズマディスプレイパネル。
【請求項４】
前記第１乃至第３データ駆動部は、それぞれの電極グループに同時に駆動信号を印加することを特徴とする請求項２に記載のプラズマディスプレイパネル。
【請求項５】
第１乃至第３電極グループのそれぞれの信号ラインは、前記第１乃至第３データ駆動部とパッド部を介して接続されることを特徴とする請求項３に記載のプラズマディスプレイパネル。
【請求項６】
前記第２電極グループの信号ラインは、前記パッド部とコンタクト電極を介して接続されることを特徴とする請求項４に記載のプラズマディスプレイパネル。
【請求項７】
前記コンタクト電極は、前記第１及び第３電極グループの下部の背面基板上に形成されることを特徴とする請求項６に記載のプラズマディスプレイパネル。
【請求項８】
前記第１及び第３電極グループの下部の背面基板上には、前記第１及び第３電極グループに属するアドレス電極と前記コンタクト電極とが絶縁するように、絶縁層が形成されることを特徴とする請求項５に記載のプラズマディスプレイパネル。
【請求項９】
前面基板に形成されたスキャン電極及びサステイン電極と交差する方向に形成されるアドレス電極が、第１乃至第３電極グループに区分され、
前記第２電極グループは、前記前面基板と対向する背面基板上に形成され、
前記第１及び第３電極グループは、前記背面基板に形成された絶縁層上に形成されることを特徴とするプラズマディスプレイパネル。
【請求項１０】
前記第１及び第３電極グループが形成された背面基板上には、コンタクト電極が形成され、
前記絶縁層は、前記コンタクト電極と前記第１及び第３電極グループに属するアドレス電極とを絶縁させることを特徴とする請求項９に記載のプラズマディスプレイパネル。
【請求項１１】
前記コンタクト電極は、前記第２電極グループの信号ラインと接続されることを特徴とする請求項１０に記載のプラズマディスプレイパネル。
【請求項１２】
前記第１乃至第３電極グループは、パネルの表示領域の上／下部または下／上部を順次に３個領域に区分して、アドレス電極をグループ化したことを特徴とする請求項１１に記載のプラズマディスプレイパネル。
【請求項１３】
前面基板に形成されたスキャン電極及びサステイン電極と、
前記前面基板に対向する背面基板に、前記スキャン電極及びサステイン電極と交差する方向に形成されたアドレス電極と、
前記背面基板上に形成されて放電空間を区画する隔壁と
を含み、
前記アドレス電極は、第１乃至第４電極グループに分割されて駆動されることを特徴とするプラズマディスプレイパネル。
【請求項１４】
前記第１乃至第４電極グループに属するアドレス電極は、実質的に画像が表示されるパネルの表示領域内に形成されたことを特徴とする請求項１３に記載のプラズマディスプレイパネル。
【請求項１５】
前記第１乃至第４電極グループは、前記表示領域の上／下部または下／上部を順次に４個領域に区分して、アドレス電極をグループ化したことを特徴とする請求項１４に記載のプラズマディスプレイパネル。
【請求項１６】
前記第１乃至第４電極グループは、それぞれ第１乃至第４データ駆動部から駆動信号を受けるように接続されることを特徴とする請求項１４に記載のプラズマディスプレイパネル。
【請求項１７】
前記第１及び第４電極グループの下部の背面基板上には、コンタクト電極I形成され、該コンタクト電極と前記第１及び第４電極グループに属するアドレス電極とを絶縁させる絶縁層が形成されることを特徴とする請求項１５に記載のプラズマディスプレイパネル。
【請求項１８】
前記コンタクト電極は、前記第２及び第３電極グループの信号ラインと接続されることを特徴とする請求項１７に記載のプラズマディスプレイパネル。
【発明の詳細な説明】
【技術分野】
【０００１】
本発明は、プラズマディスプレイパネルに関し、特に、高速駆動及び均等な駆動信号電圧の供給が可能なプラズマディスプレイパネルに関する。
【背景技術】
【０００２】
プラズマディスプレイパネルとは、隔壁が形成された背面基板と、これと対向する前面基板との間に放電セルが形成され、各放電セル内部の不活性ガスが高周波電圧により放電される時発生する真空紫外線が、蛍光体を発光させることによって、画像を具現する装置のことである。
【０００３】
図１は、通常のプラズマディスプレイパネルの電極配置を示す図であり、これを参照して、従来の発明について説明する。
【０００４】
図１において、スキャン電極ライン（Ｙ１乃至Ｙｎ）とサステイン電極ライン（Ｚ１乃至Ｚｎ）とは、互いに並列して形成され、アドレス電極ライン（データ電極ラインと同一、Ｘ１乃至Ｘｎ）は、前記スキャン／サステイン電極ラインと交差するように形成される。この時、放電セル１は、前記電極が交差する地点ごとに形成される。
【０００５】
スキャン電極ライン（Ｙ１乃至Ｙｎ）を介して、アドレス期間の間、スキャンパルスが供給されて、放電セル１がライン単位でスキャンされ、サステイン期間の間、サステインパルスが供給されて、放電セル１で放電が維持される。
【０００６】
サステイン電極ライン（Ｚ１乃至Ｚｎ）を介して、サステイン期間の間、共通的にサステインパルスが供給されるので、前記スキャン電極ライン（Ｙ１乃至Ｙｎ）と共に放電セル１で放電が維持される。
【０００７】
アドレス電極ライン（Ｘ１乃至Ｘｎ）を介して、アドレス期間の間、前記スキャンパルスと同期されるデータパルスがライン単位で供給されるので、放電が維持される放電セル１が選択される。
【０００８】
前記スキャン／サステイン／アドレス電極ライン（Ｙ／Ｚ／Ｘ）は、駆動パルスを供給する駆動部と接続されるが、通常、このような駆動部は、パネルの背面に位置する印刷回路基板（図示せず）に設置され、前記駆動部からフレキシブルプリントケーブル（Flexible Print Cable；以下、「ＦＰＣ」と記す）または、フラットフレキシブルケーブル（Flat Flexible Cable；以下、「ＦＦＣ」と記す）などによりパネルの一方に形成された電極のパッド部と接続される。
【０００９】
図２は、プラズマディスプレイパネルのスキャン方式を示した図であって、図２Ａは、シングルスキャン方式を、図２Ｂは、デュアルスキャン方式を例示した図である。
【００１０】
図２Ａのようなシングルスキャン方式では、スキャン電極の最初ラインから最後のラインまで、順次にスキャンパルスを印加して、電極ラインを選択すると共に、前記スキャンパルスと同期されたデータパルスをアドレス電極に印加して、選択されたラインの放電セル１の中で、放電させるセルを選択する。
【００１１】
すなわち、パネル７の左側上段からスキャンを始めるとすれば、スキャン駆動部３により、第１スキャン電極ラインから順次にスキャンパルスが供給され、データ駆動部２からデータパルスが供給されて、第１放電セルライン６の放電セルにデータが供給される。
【００１２】
次に、アドレス電極ライン（Ｘ１乃至Ｘｎ）に供給されたデータパルスと第２スキャン電極ライン（Ｙ２）に供給されたスキャンパルスとにより、第２放電セルライン上の放電セルにデータが供給される。
【００１３】
このような方法により、アドレス期間の間、第１放電セルラインから第Ｎ放電セルラインまで、順次にラインが選択され、選択されたラインにデータが供給されることがシングルスキャン方式である。
【００１４】
これに対し、デュアルスキャン方式とは、図２Ｂのように、パネルの中央部を基に通常２分割して、スキャンを行う方式のことである。まず、第１スキャンラインＹ１から第ｎ／２スキャンラインＹｎ／２は、第１データ駆動部４から順次に供給されるスキャンパルスに同期されるデータパルスを供給されて、スキャンが行われ、第（ｎ＋１）／２スキャンラインＹ（ｎ／２＋１）から第ｎスキャンラインＹｎまでは、第２データ駆動部５から順次に供給されるスキャンパルスに同期される信号を供給されて、スキャンが行われる。
【００１５】
すなわち、デュアルスキャン方式は、スキャン駆動部３により、アドレス期間の間に２分割されたパネルの上半部と下半部とが同時にスキャンされるので、同じ解像度のシングルスキャン方式に比べて、アドレス期間を略１／２に短縮させることができ、相対的にサステイン期間を延長して、表示品質を向上させ得るという長所がある。
【００１６】
一方、パネル７に形成された電極ラインＸ，Ｙ，Ｚは、高い抵抗値を有するので、大画面パネルを駆動する場合、各駆動部（２乃至５）と近い領域内の放電セルには、相対的に高電圧駆動信号が供給され、駆動部２と遠方の放電セルには、電圧降下によって相対的に低電圧駆動信号が供給される。
【００１７】
すなわち、従来のシングルスキャン方式では、パネル内の全ての放電セルに均一な駆動信号（駆動電圧）が供給されることができなかったし、これによって、パネル領域別に画質が均一でないという問題点があった。
【００１８】
これを解決するために、図２Ｂのように、デュアルスキャン方式を使用しているが、５０インチ以上の大画面パネルの登場により、上記シングルスキャンでの問題点がそのまま露出している。デュアルスキャン方式において、データ駆動部４、５がパネル７の上段と下段とにそれぞれ位置しても、パネルの大きさが大きくなれば、各駆動部と距離が遠い中央部では、電圧降下が発生して、駆動信号の大きさが変わるようになる。
【発明の開示】
【発明が解決しようとする課題】
【００１９】
本発明は、上記従来の技術の問題点を解決するためになされたものであって、その目的は、データパルス及びスキャンパルスが印加されるアドレス期間の間、高速でスキャニングが可能なように、アドレス電極を少なくとも３つ以上の電極グループに分割して駆動するプラズマディスプレイパネルを提供することである。
【課題を解決するための手段】
【００２０】
上記課題を達成するため、本発明は、前面基板に形成された少なくとも１つ以上のスキャン電極及びサステイン電極と、前記前面基板に対向する背面基板に、前記スキャン電極及びサステイン電極と交差する方向に形成された少なくとも１つ以上のアドレス電極と、前記前面基板と背面基板との間に形成されて、放電空間を区画する隔壁とを含み、前記アドレス電極は、少なくとも３つ以上の電極グループに分割されて駆動されることを特徴とする。
【００２１】
前記アドレス電極は、パネルの表示領域の上部と下部との間の領域が、順次に３個の領域に区分されて、各領域に属する第１乃至第３電極グループにグループ化され、各電極グループに駆動信号を印加する第１乃至第３データ駆動部と接続される。
【００２２】
この時、前記第１乃至第３電極グループのそれぞれの信号ラインは、前記第１乃至第３データ駆動部とパッド部を介して接続されるが、特に、前記第２電極グループの信号ラインは、コンタクト電極を介して前記パッド部と接続される。
【００２３】
前記コンタクト電極は、前記第１及び第３電極グループの下部の背面基板上に形成され、絶縁層が前記コンタクト電極を覆うように形成されて、前記第１及び第３電極と絶縁される。
【００２４】
この時、前記第１乃至第３電極グループには、駆動信号が同時に印加されるので、アドレス電極をスキャニングする時間が短縮でき、同じ方法で４個以上の電極グループに分割し駆動可能である。
【発明の効果】
【００２５】
本発明のプラズマディスプレイパネルは、複数の駆動部と分割されたパネルとにより、アドレス期間の間、同時に複数のラインにスキャンが可能になり、高速駆動が可能になって、各放電セルに割り当てられる放電期間が、シングルまたはデュアルスキャン方式が採用される従来より延長されることができるので、表示品質が向上され得る。
【発明を実施するための最良の形態】
【００２６】
以下、添付した図面を参照して、本発明に係る少なくとも３個以上のデータ駆動部により駆動信号が印加されるプラズマディスプレイパネルの実施形態を説明する。
【００２７】
但し、本発明に係るプラズマディスプレイパネルは、本明細書に記載された実施形態に限定されるものではなく、複数の実施形態が存在できることは言うまでもない。
【００２８】
以下、図３乃至図８を参照して、本発明の実施形態について詳細に説明する。
【００２９】
図３は、本発明に係るプラズマディスプレイパネルを示した図である。
【００３０】
図３に示しているように、本発明に係るプラズマディスプレイパネル１４上のアドレス電極（Ｘ１１乃至Ｘ３ｎ）は、少なくとも３個のグループに区分されて、各電極グループが、別のデータ駆動部１０，１１，１２により駆動される。
【００３１】
さらに詳細に、パネルの上部に位置するアドレス電極（Ｘ１１乃至Ｘ１ｎ）は、第１電極グループ１４ａに区分され、前記第１電極グループは、第１データ駆動部１０により駆動信号が供給される。また、パネルの中央部に位置するアドレス電極（Ｘ２１乃至Ｘ２ｎ）は、第２電極グループ１４ｂに区分され、前記第２電極グループは、第２データ駆動部１１により駆動信号が供給され、パネルの下部に位置するアドレス電極（Ｘ３１乃至Ｘ３ｎ）は、第３電極グループ１４ｃに区分され、第３データ駆動部１２により駆動信号が供給される。
【００３２】
また、スキャンパルス及びサステインパルスを供給するためのスキャン及びサステイン駆動部１３が備えられる。
【００３３】
このように、本発明のパネル１４は、３個の領域に分割されて、各領域のアドレス電極は、第１乃至第３電極グループ１４ａ，１４ｂ，１４ｃに区分される。このようなアドレス電極Ｘは、背面基板に形成され、スキャン電極Ｙ及びサステイン電極Ｚは、アドレス電極と交差するように、前面基板に形成される。
【００３４】
第１電極グループ１４ａに属するアドレス電極（Ｘ１１乃至Ｘ１ｎ）は、パネル１４の上部領域に位置し、第１乃至第ｍ／３スキャン電極（Ｙ１乃至Ｙｍ／３）及び第１乃至第ｍ／３との放電により、放電セルを選択する。
【００３５】
また、第２電極グループ１４ｂに属するアドレス電極（Ｘ２１乃至Ｘ２ｎ）は、パネル１４の中央部領域に位置し、第ｍ／３＋１乃至第２ｍ／３スキャン電極Ｙｍ／３＋１乃至Ｙ２ｍ／３との放電により、放電セルを選択する。
【００３６】
同様に、第３電極グループ１４ｃに属するアドレス電極（Ｘ３１乃至Ｘ３ｎ）は、パネル１４の下部領域に位置し、２ｍ／３＋１乃至第ｍスキャン電極Ｙ２ｍ／３＋１乃至Ｙｍとの放電により、放電セルを選択する。
【００３７】
そして、第１データ駆動部１０は、第１電極グループに属するアドレス電極（Ｘ１１乃至Ｘ１ｎ）に、第２データ駆動部１１は、第２電極グループに属するアドレス電極（Ｘ２１乃至Ｘ２ｎ）に、第３データ駆動部１２は、第３電極グループに属するアドレス電極（Ｘ３１乃至Ｘ３ｎ）にデータパルスを供給する。
【００３８】
スキャン及びサステイン駆動部１３は、複数個のスキャン電極Ｙ及びサステイン電極Ｚにスキャンパルス及びサステインパルスを供給する。この時、前記スキャン及びサステイン駆動部１３は、リセット期間、アドレス期間、そしてサステイン期間の間、駆動パルスを供給するスキャン駆動部とサステイン駆動部とから構成される。
【００３９】
このように構成される本発明は、第１乃至第３データ駆動部（１０乃至１２）により、３個の電極グループに分割されたアドレス電極に駆動信号が供給されるので、アドレス期間が、従来に比べて１／３程度の水準に短縮されることはもちろん、信号伝達距離が短縮されて、電圧降下による従来の問題点が改善される。そして、アドレス期間の間、３つの放電セルラインにスキャンパルスが供給されるので、高速駆動が可能になる。
【００４０】
図４は、図３のＡ部分を拡大して示した図であって、これを参照して、各データ駆動部とアドレス電極との接続構造を説明すれば、次の通りである。
【００４１】
前記パネル１４は、放電により画像が表示される表示領域２１と、該表示領域の周辺に形成されて、実際画像が外部に表示されない非表示領域２２とに、その領域が区分されることができるが、前記非表示領域には、各駆動部の信号ライン１７が接続されるパッド１９と、前記パッドと複数個の電極Ｘ，Ｙ，Ｚとを接続するためのリンク１８とが形成される。
【００４２】
特に、第１電極グループ１４ａ及び第３電極グループ１４ｃの下部の背面基板上には、第２電極グループ１４ｂに属するアドレス電極（Ｘ２１〜）に駆動信号を提供するためのコンタクト電極が形成され、前記コンタクト電極２０は、第２データ駆動部１１と接続される。
【００４３】
このような前記第１及び第３電極グループ１４ａ，１４ｃに属するアドレス電極の下部層に形成されるコンタクト電極２０及び電極の構造に関し、図５を参照して説明する。
【００４４】
図５は、パネルの上部及び下部領域に形成される放電セルをさらに詳細に示した図である。
【００４５】
図５に示しているように、前面基板４０上にスキャン電極Ｙ及びサステイン電極Ｚが形成され、背面基板４８上には、第１及び第３電極グループ１４ａ，１４ｃに属するアドレス電極Ｘ１，Ｘ３及びコンタクト電極２０を備える。
【００４６】
前記スキャン電極Ｙとサステイン電極Ｚとは、透明電極４２Ｙ，４２Ｚと、前記透明電極４２Ｙ，４２Ｚの線幅より小さな線幅を有する金属バス電極４３Ｙ，４３Ｚを含む。
【００４７】
前記透明電極４２Ｙ，４２Ｚは、インジウムチンオキサイド（Indium Tin Oxide；ＩＴＯ）、インジウムジンクオキサイド（Indium Zinc Oxide；ＩＺＯ）、または、インジウムチンジンクオキサイド（Indium Tin Zinc Oxide；ＩＴＺＯ）等の金属を含み、金属バス電極４３Ｙ，４３Ｚは、通常、クロム（Ｃｒ）などの金属を含み、抵抗が高い前記透明電極４２Ｙ，４２Ｚによる電圧降下を減少させる役割を果たす。
【００４８】
また、前記前面基板４０には、前記スキャン電極Ｙとサステイン電極Ｚとを覆うように、上部誘電体層４４が積層され、プラズマ放電の際に発生したスパッタリングによる上部誘電体層４４の損傷を防止する保護膜４６が積層される。この時、前記保護膜４６としては、酸化マグネシウム（ＭｇＯ）が利用される。
【００４９】
背面基板４８上には、コンタクト電極２０が形成され、このコンタクト電極を覆うように、絶縁体層５８が形成される。すなわち、前記絶縁体層５８は、上部に形成される誘電体層５２及びアドレス電極Ｘ１と前記コンタクト電極２０とを絶縁する。また、前記コンタクト電極２０は、第２電極グループ１４ｂに属するアドレス電極Ｘ２と接続される。
【００５０】
前記絶縁体層５８上には、アドレス電極Ｘ１，Ｘ３、下部誘電体層５２及び隔壁５４が形成され、下部誘電体層５２と隔壁５４との表面には、蛍光体層５６が塗布される。そして、前記アドレス電極Ｘ１，Ｘ３は、スキャン電極Ｙ及びサステイン電極Ｚと交差する方向に形成される。
【００５１】
前記隔壁５４は、前面／背面基板４０、４８と共に放電空間を形成し、ガス放電により生成された紫外線及び可視光線が、この隣接した放電セルに漏れることを防止する。
【００５２】
前記放電空間には、ガス放電のためのＨｅ，Ｎｅ，Ａｒ，Ｘｅ，Ｋｒなどの不活性ガス、これらが組み合わせられた放電ガス（または混合ガス）、または放電により紫外線を発生させ得るエキシマ（Excimer）ガスが充填される。
【００５３】
前記蛍光体層５６は、プラズマ放電の際に発生した紫外線により励起されて、赤色（Ｒ）、緑色（Ｇ）または青色（Ｂ）のうち、いずれかの可視光線を発生する。
【００５４】
図６は、パネルの中央部領域に形成される放電セルの構造を示した図であって、このような放電セル２４は、誘電体層５２の下部に形成されるコンタクト電極２０と絶縁体層５８とがないため、図６と同様な構成を有する。
【００５５】
第２電極グループ１４ｂに属するアドレス電極Ｘ２が形成される放電セルは、コンタクト電極２０と絶縁体層５８とがない点を除いては、図５の放電セルと同様な構成を有するので、これと重複する詳細な説明は省略するものとする。
【００５６】
図７は、本発明のパネルを製造するための工程を簡略に示した図であって、図７Ａ乃至図７Ｃに示した工程を含んで製造可能である。
【００５７】
まず、図７Ａのように、第１及び第３電極グループ１４ａ，１４ｃが形成されるパネルの上部及び下部領域にコンタクト電極２０が形成されると共に、パネルの中央部領域に第２電極グループ１４ｂに属するアドレス電極Ｘ２が形成される。
【００５８】
前記コンタクト電極２０と第２電極グループに属するアドレス電極Ｘ２とが形成されれば、図７Ｂのように、再びパネルの上部及び下部領域に、前記コンタクト電極２０を覆うように絶縁体層５８が形成され、該絶縁体層上に再び第１及び第３電極グループ１４ａ，１４ｃに属するアドレス電極Ｘ１，Ｘ３が形成される。すなわち、第２電極グループに属するアドレス電極Ｘ２と第１及び第３電極グループに属するアドレス電極Ｘ２とは、互いに異なる層に形成される。
【００５９】
前記第１及び第３電極グループに属するアドレス電極Ｘ１，Ｘ３が形成されれば、図７Ｃのように、全てのアドレス電極（Ｘ１乃至Ｘ３）を覆うように、下部誘電体層５２が積層される。
【００６０】
前記下部誘電体層５２が形成されれば、この下部誘電体層５２上に隔壁５４及び蛍光体層５６が順次形成される。
【００６１】
図８は、本発明に係るプラズマディスプレイパネルの他の実施形態を簡略に示した図であって、図３と比較すると、パネルの領域が少なくとも４個以上に区分され、各領域に形成されたアドレス電極は、各々第１乃至第４電極グループに区分されて、第１乃至第４データ駆動部により駆動される点に特徴がある。
【００６２】
図８に示しているように、本発明の他の実施形態に係るプラズマディスプレイパネルは、第１乃至第４データ駆動部（６０乃至６３）、スキャン及びサステイン駆動部６４、４個の領域に区分されたパネル（７０ａないし７０ｄ）、各領域別に区分されたアドレス電極（Ｘ１１乃至Ｘ４ｍ）、スキャン電極Ｙ、サステイン電極Ｚ、及びコンタクト電極６５ａ，６５ｂを備える。
【００６３】
図８の他の実施形態は、パネル７０を少なくとも４個以上の領域７０ａ，７０ｂ，７０ｃ，７０ｄに区分し、それぞれの領域７０ａ，７０ｂ，７０ｃ，７０ｄに位置するアドレス電極（Ｘ１１乃至Ｘ４ｍ）を、再び第１乃至第４電極グループＸ１１〜Ｘ１ｍ，Ｘ２１〜Ｘ２ｍ，Ｘ３１〜Ｘ３ｍ，Ｘ４１〜Ｘ４ｍに区分する。
【００６４】
また、前記第１乃至第４電極グループＸ１１〜Ｘ１ｍ，Ｘ２１〜Ｘ２ｍ，Ｘ３１〜Ｘ３ｍ，Ｘ４１〜Ｘ４ｍのそれぞれに駆動信号を供給する第１乃至第４データ駆動部（６１乃至６３）を備える。
【００６５】
また、パネル７０の中央部領域に形成される第２及び第３電極グループに属するアドレス電極Ｘ２１〜Ｘ２ｍ，Ｘ３１〜Ｘ３ｍと第２及び第３データ駆動部６１，６２を接続するための第１コンタクト電極６５ａ及び第２コンタクト電極６５ｂが、第１及び第４電極グループに属するアドレス電極Ｘ１１〜Ｘ１ｍ，Ｘ４１〜Ｘ４ｍの下部背面基板上に形成される。
【００６６】
このように、図８に示した実施形態は、第１乃至第４データ駆動部（６０乃至６３）により４個の電極グループに分割されたアドレス電極に駆動信号が供給されるので、アドレス期間が従来に比べて１／４程度の水準に短縮されることはもちろん、信号伝達距離が短縮されて、電圧降下による従来問題点が改善される。そして、アドレス期間の間、４個の放電セルラインにスキャンパルスが供給されるので、高速駆動が可能になる。
【００６７】
また、図８に示した実施形態は、本発明の技術的思想により多様な変更が可能であることを示す一例であって、以外の各部構成及び動作は、図３乃至図７の実施形態で説明した構成及び工程と同じ方式の構成を有するので、これに関する詳細な説明は省略するものとする。この他にも、パネル７０の領域を区分する数及び電極グループの数は、パネルの大きさに応じて変更が可能であることに注意しなければならない。
【００６８】
また、本発明のプラズマディスプレイパネルでは、コンタクト電極を介して、アドレス電極に駆動信号を印加するデータ駆動部において、前記コンタクト電極の電圧降下を考慮した駆動電圧を供給するので、パネルに形成された電極による電圧降下の問題を補完できるようになる。
【００６９】
このように、本発明は、パネルを領域別に区分し、各領域上に位置するアドレス電極をグループ別に区分して、各グループに対応するデータ駆動部を各々配置することを特徴とする。
【００７０】
また、本発明のプラズマディスプレイパネルは、パネルの中央部領域に形成されたアドレス電極に駆動信号を供給するために、隣接した領域の下部を通過するコンタクト電極を別に形成することに特徴がある。
【００７１】
これに伴い、本発明のプラズマディスプレイパネルは、複数の駆動部と分割されたパネルとにより、アドレス期間の間、同時に複数ラインにスキャンが可能になり、高速駆動が可能になって、各放電セルに割り当てられる放電期間が、シングルまたはデュアルスキャン方式が採用される従来より延長されることができるので、表示品質が向上され得る。
【００７２】
なお、本発明は、上記の実施の形態に限定されるものではなく、本発明に係る技術的思想から逸脱しない範囲内で様々な変更が可能であり、それらも本発明の技術的範囲に属する。
【図面の簡単な説明】
【００７３】
【図１】通常のプラズマディスプレイパネルの電極配置を示した図である。
【図２Ａ】プラズマディスプレイパネルの駆動方法を示した図である。
【図２Ｂ】プラズマディスプレイパネルの駆動方法を示した図である。
【図３】本発明に係るプラズマディスプレイパネルを示した図である。
【図４】図３のＡ部分を拡大して示した図である。
【図５】第１及び第３電極グループが形成された放電セルを示した図である。
【図６】第２電極グループが形成された放電セルを示した図である。
【図７Ａ】図３のパネルを製造するための工程を簡略に示した図である。
【図７Ｂ】図３のパネルを製造するための工程を簡略に示した図である。
【図７Ｃ】図３のパネルを製造するための工程を簡略に示した図である。
【図８】本発明に係るプラズマディスプレイパネルの他の実施形態を簡略に示した図である。
【図１】
2006195465.tif 000003
【図２Ａ】
2006195465.tif 000004
【図２Ｂ】
2006195465.tif 000005
【図３】
2006195465.tif 000006
【図４】
2006195465.tif 000007
【図５】
2006195465.tif 000008
【図６】
2006195465.tif 000009
【図７Ａ】
2006195465.tif 000010
【図７Ｂ】
2006195465.tif 000011
【図７Ｃ】
2006195465.tif 000012
【図８】
2006195465.tif 000013